(57)【特許請求の範囲】
【請求項１】
８つの頂点と、６つの面とを有し、互いに直交する軸Ｘ、軸Ｙ及び軸Ｚを定義する、プリズム磁気コア（１）と、
前記磁気コア（１）の周囲に配置され、前記磁気コア（１）を収容するプリズム空洞（１１）を有する単一部品から作られた電気絶縁支持部（１０）であって、前記空洞（１１）が、２つで互いに対向して配置された４つの側面（５１）を有する枠（５０）によって取り囲まれた開口を通してアクセス可能であり、前記磁気コア（１）の高さと同一平面上又は前記磁気コア（１）の高さの上方に配置される、電気絶縁支持部（１０）と、
前記電気絶縁支持部（１０）が、少なくとも、
○前記枠(５０)の前記４つの側面(５１)上に形成された４つの付加的な巻線支持外面(１２Ｘ及び１２Ｙ)を含む巻線支持外面(１２Ｘ、１２Ｙ及び１２Ｚ)と、
○前記磁気コア（１）の４つの頂点に配置された４つの下方角部突起（２０）と、
○前記巻線支持外面(１２Ｘ、１２Ｙ及び１２Ｚ)に対して垂直であり、前記４つの付加的な巻線支持外面(１２Ｘ及び１２Ｙ)に対して垂直な巻線制限端（２２）と、を備え、
導線の前記３本の巻線（ＤＸ、ＤＹ、ＤＺ）と、を含み、導線の前記３本の巻線（ＤＸ、ＤＹ、ＤＺ）が、互いに直交して配置され、前記磁気コア（１）の周囲に巻き付けられ、前記巻線支持面（１２Ｘ、１２Ｙ、１２Ｚ）上で支持され、前記巻線制限端（２２）の間で制限され、直交軸Ｘ、Ｙ、Ｚに関してセンタリングされるため、電流が前記巻線（ＤＸ、ＤＹ、ＤＺ）を通って流れるとき、前記巻線のそれぞれの軸と同軸である電磁場ベクトルを有する電磁場が生成され、
前記プリズム磁気コア（１）が、８つの頂点と６つの面のみを有する矩形プリズム磁気コア（１）であり、
前記プリズム空洞（１１）が矩形プリズム空洞（１１）であるため、前記電気絶縁支持部（１０）が、前記磁気コア（１）の６つの面のうちの１つを除いて全てを完全に取り囲み、
前記磁気コア（１）が、注がれた磁性セメントで形成され及び前記電気絶縁支持部（１０）の空洞（１１）内部で硬化され、又は、注入されたＰＢＭ又はＰＢＳＭ材料によって形成され及び前記電気絶縁支持部（１０）の空洞（１１）内部で硬化され、
前記電気絶縁支持部（１０）がインダクタ装置によって生成される電磁場ベクトルの対称性及び直交性を保証する、
インダクタ装置。
【請求項２】
前記電気絶縁支持部（１０）が、磁気コア（１）の残り４つの頂点に配置された４つの上方角部突起（２１）をさらに含み、前記巻線支持面（１２Ｘ、１２Ｙ、１２Ｚ）に対して垂直な巻線制限端（２２）をさらに含む、請求項１に記載の装置。
【請求項３】
前記磁気コア（１）が、前記電気絶縁支持部（１０）の開口面をふさぐポリマー樹脂又はエポキシ樹脂層（３０）でコーティングされ、
前記磁気コア（１）の高さは、前記電気絶縁支持部（１０）の前記内部空洞（１１）の深さよりも低く、
前記エポキシ樹脂層（３０）が、前記磁気コア（１）の高さと前記電気絶縁支持部（１０）の前記内部空洞（１１）の深さとの間に存在する差に等しい厚みを有する、請求項１又は２に記載の装置。
【請求項４】
前記磁気コア（１）が、立方体コアであり、前記３本の巻線（ＤＸ、ＤＹ、ＤＺ）の寸法は均一であって、インダクタに等方性の特性を提供する、請求項１〜３のいずれか１項に記載の装置。
【請求項５】
導線（４０）の前記３本の巻線（ＤＸ、ＤＹ、ＤＺ）のそれぞれは、互いに異なる、前記下方角部突起（２０）のそれぞれで一体化された導電性素子（２３）の端に接続されている導線入口点（４１）と導線出口点（４２）とを持ち、
前記電気絶縁支持部（１０）が、前記導線入口点（４１）とその対応する導電性素子（２３）との間と、前記導線出口点（４２）とその対応する導電性素子（２３）との間に、前記３本の巻線（ＤＸ、ＤＹ、ＤＺ）のそれぞれの導線誘導構成（１５）を含み、前記誘導構成（１５）が、ノッチ、段付き凹部、又は溝によって形成されるため、
前記巻線支持外面（１２Ｘ、１２Ｙ、及び１２Ｚ）に対して、前記導線入口点（４１）又は前記導線出口点（４２）で巻き付け方向において、前記導線入口点（４１）で又は前記導線出口点（４２）で、張力をかけられた導線（４０）が正確に位置付けられる、請求項１〜４に記載のインダクタ装置。
【請求項６】
軸Ｚの周囲の巻線（ＤＺ）が粘着性コーティングを備えた導線（４０）によって形成され、４つの下方角部突起（２０）が、それぞれの巻線制限端（２２）の間で、軸Ｘ及びＹの周囲に巻き付けられた巻線（ＤＸ、ＤＹ）を制限する請求項１に記載のインダクタ装置。
【請求項７】
インダクタ装置を製造する方法であって、
プリズム空洞（１１）を有する単一部品から作られた電気絶縁支持部（１０）であって、プリズム空洞（１１）が、磁気コア（１）を収容し、２つで互いに対向して配置された４つの側面（５１）を有する枠（５０）によって取り囲まれた開口を通してアクセス可能である電気絶縁支持部（１０）を、射出成形によって製造すること、
前記支持部が、少なくとも、
○前記枠(５０)の前記４つの側面(５１)上に形成された４つの付加的な巻線支持外面(１２Ｘ及び１２Ｙ) を含む巻線支持外面(１２Ｘ、１２Ｙ及び１２Ｚ)と、
○４つの下方角部突起（２０）と、
○前記巻線支持外面（１２Ｘ、１２Ｙ、及び１２Ｚ）に対して垂直であり、前記４つの付加的な巻線支持外面(１２Ｘ及び１２Ｙ)に対して垂直な巻線制限端（２２）と、を備え、
８つの頂点と、互いに直交する３つの軸Ｘ、Ｙ、Ｚを定義する６つの面とを有するプリズム磁気コア（１）を、前記電気絶縁支持部（１０）の前記矩形プリズム空洞（１１）の内部に提供すること、
互いに直交して配置され、前記巻線支持面（１２Ｘ、１２Ｙ、及び１２Ｚ）上で支持されて前記磁気コア（１）の周囲に巻き付けられ、付加的な巻線支持外面(１２Ｘ及び１２Ｙ)で前記巻線制限端（２２）の間に制限され、前記直交軸Ｘ、Ｙ、Ｚに関してセンタリングされる導線（４０）の３本の巻線（ＤＸ、ＤＹ、ＤＺ）を提供することを含み、
前記方法が、
前記電気絶縁支持部（１０）は、前記プリズム空洞（１１）が矩形プリズム空洞（１１）である状態で製造され、
前記磁気コア（１）が、前記電気絶縁支持部（１０）の空洞（１１）内部に注ぐこと及び前記電気絶縁支持部（１０）の空洞（１１）内部で硬化することによって、又は、前記電気絶縁支持部（１０）の空洞（１１）内部に注入すること及び前記電気絶縁支持部（１０）の空洞（１１）内部で硬化することによって、提供され、８つの頂点と６つの面のみを有する矩形プリズム磁気コア（１）を形成し、
前記電気絶縁支持部（１０）がインダクタ装置によって生成される電磁場ベクトルの対称性及び直交性を保証する、
方法。
【請求項８】
前記電気絶縁支持部（１０）が、磁気コア（１）の残り４つの頂点に配置された４つの上方角部突起（２１）をさらに含み、前記巻線支持面（１２Ｘ、１２Ｙ、１２Ｚ）に対して垂直な巻線制限端（２２）をさらに含む、請求項７に記載の方法。
【請求項９】
取り外し可能な上方角部突起（２１）が、前記軸（Ｚ）の周囲の巻線（ＤＺ）を巻き付ける前にさらに提供され、前記巻き付けが終了したときに取り外されるため、前記軸（Ｚ）の周囲の巻線（ＤＺ）を支持するための前記巻線支持面（１２Ｚ）が、巻き付け工程の間、前記電気絶縁支持部（１０）と前記取り外し可能な上方角部突起（２１）との間で画定される、請求項７に記載の方法。
【請求項１０】
前記電気絶縁支持部（１０）が、前記下方角部突起（２０）のそれぞれにおいて一体化された導電性素子（２３）を含んで製造され、
導線（４０）の各巻線（ＤＸ、ＤＹ、ＤＺ）は、互いに異なる、前記導電性素子（２３）の端に接続されている導線入口点（４１）と導線出口点（４２）とを有し、
前記電気絶縁支持部（１０）が、対応する前記導線入口点（４１）と、その前記導電性素子（２３）との間、及び、対応する前記導線出口点（４２）と、その前記導電性素子（２３）との間で、前記巻線（ＤＸ、ＤＹ、ＤＺ）のそれぞれの導線（４０）を導くための、ノッチ、段付き凹部、又は溝によって形成されている誘導構成（１５）を含んで製造され、
前記３本の巻線（ＤＸ、ＤＹ、ＤＺ）を巻き付けるための巻き付けプロセスは、３つの連続する工程で実施され、これらのそれぞれは、
張力をかけられた導線（４０）を、その対応する誘導構成（１５）で自動的に位置付け、前記導線（４０）の一部分が、前記導線入口点（４１）で、前記巻き付け方向において、前記巻線支持外面（１２Ｘ、１２Ｙ、及び１２Ｚ）に対して正確に位置付けられる工程と、
前記導線（４０）を、前記導線入口点（４１）から対応する前記導線出口点（４２）まで、前記巻線支持外面（１２Ｘ、１２Ｙ、及び１２Ｚ）上で、前記磁気コア（１）の周囲に自動的に巻き付け、前記巻線が、対応する前記巻線制限端（２２）の間に画定される工程と、
前記張力をかけられた導線（４０）の一部分を、その対応する誘導構成（１５）における前記導線出口点（４２）から自動的に位置付け、前記導線出口点（４２）に対して正確に位置付けられる工程とを含む、請求項７〜９のいずれか１項に記載の方法。
【請求項１１】
前記自動巻き付けプロセスが、巻線（ＤＸ、ＤＹ、ＤＺ）を形成する前記導線（４０）の各端を、下方角部突起（２０）の対応する導電性素子(２３)に対して自動的な方法で電気的に接続することを含み、
前記導線（４０）が、張力をかけられて、前記電気接続と、前記誘導構成（１５）と、前記巻線（ＤＸ、ＤＹ、ＤＺ）の導線入口又は出口点（４１、４２）との間に配置される、請求項１０に記載の方法。
【請求項１２】
請求項１〜６のいずれか１項に記載のインダクタ装置を含む、送信又は受信アンテナ。
【発明の詳細な説明】
【技術分野】
【０００１】
本発明は、インダクタ装置及びインダクタ装置の製造方法に関し、インダクタ装置は、磁気コアと、磁気コアの周囲に配置された電気絶縁支持部と、互いに直交して配置されて磁気コアの周囲に巻き付けられた３本の導線の巻線とを含み、巻線の導線は、電気絶縁支持部上で支持される。
【０００２】
本発明はまた、アンテナに、特に、正確な制御を必要とする対象の位置や動きを検出する及び／又は送信するために主に使用される、先述のインダクタ装置を使用して構築された低周波送信又は受信アンテナに関連する。例えば、電磁システムが、仮想（又はデジタル）世界において、３つの空間座標構成要素での実際の動き、速度、及び加速度により、物質界の実際の対象を正確な相対的位置に位置付ける能力を有していなければならない仮想現実システムで使用されるものである。
【０００３】
本発明の目的は、低周波インダクタの磁場誘導ユニットによって誘導される電圧に対する応答が、フィールドソースに関して、その相対的位置と正比例するという原則に基づいて達成される。
【０００４】
三軸磁気インダクタ又はセンサを形成する本発明のインダクタ装置は、標準電磁場を生成するのを可能にし、これは等方性であり、同一のコア周囲に巻き付けられているが電気絶縁支持部の表面上で支持された３つの直交コイルにおいて、等しい特性とともに、一定の周波数及び強度を有する。これにより、３つの直交軸に巻き付けられたインダクタ又は構成要素で、ソース（位置表示）と、関係性がソース位置ベクトルに関する回転の角度を決定する３つの座標Ｘ、Ｙ、Ｚとに関して、相対距離に比例するモジュラスを有する電圧を誘導することが可能である。提案されるインダクタは、これにより、その３本の直交する巻線のベクトル誘導構成要素に対応する三次元（Ｒ３）において、直交ベクトル参照系を生成する。参照系で導入される他の任意の受信インダクタは、各軸でそのベクトル距離に比例する電圧を受信し、参照系に関するレセプタの回転角度は、各軸の電圧とモジュール全体との間の比によって決定される。
【０００５】
現在の技術水準
米国特許第４２８７８０９号（Honeywell）は、ヘルメットの位置を含む方位を決定するための電磁システムを開示しており、これは電磁場ベクトルを送信するための送信アンテナと、電磁場ベクトルを感知するための受信アンテナと、送信されて感知された電磁場ベクトルに依存して、ヘルメットの位置を含む方位を決定するための制御装置とを含む。この特許文献の図面の図３は、使用される送信及び受信アンテナの可能性ある実施態様を示し、それらは周囲に３本の巻線が互いに直交して巻き付けられたフェライトコアを含んでいることがわかる。
【０００６】
特許文献米国特許第４２１０８５９号（Technion Research）は同様に、本発明で言及されるようなインダクタを提供するのにそれぞれ同様に適した３本の直交する巻線を有する三次元アンテナの構造を記述している。図面の図１７は、上述の直交する巻線を配置するための巻き付けチャネルを画定する、頂点に突起を有する立方体の形状で、インダクタの磁気コアの特定の実施態様を示す。
【０００７】
一方で、特許文献欧州特許第１３１５１７８号（ABB）は、立方体コアと絶縁プラスチック材料から形成され、その頂点に突起を備える２つの凹んだ中空半立方体の面上で支持された３本の直交する巻線を含む電磁インダクタ構成を記述しており、磁気コアは、互いに対向して開口面が配置された２つの半立方体の空洞内に配置されている。
【０００８】
先行技術文献のいずれにおいても、磁場ベクトルの正確な直交性を確実にすることは、コア上にスパイラルを位置付けることを必要とし、これは剥き出しであるか、又は粘着性のポリエステルやカプトンテープタイプの絶縁体の薄層で絶縁されており、ゆっくりとした精密なプロセスにおける細心の注意によるものであって、これは産業上の実施を困難にするので、欧州特許第１３１５１７８号で記述された解決策の場合において、巻き付けが実行されるコアの欠陥、又は、２つの対向する半分の差異若しくは非共平面性は、さらに克服されなければならない。
【０００９】
特許文献欧州第２９１１２４４号は、アンテナ及びアンテナ製造方法を記述しており、アンテナは、磁気コア及びその周囲に巻き付けられた３本の巻線を含み、外側の巻線が支持される外周の周囲に支持部を提供する２つの部分に分割された電気絶縁基部を使用している。
【００１０】
磁気コアに関係付けられた電気絶縁支持部の使用は、これまで基本的に、
巻き付けアセンブリを固定して成形するとともに、巻線の絶縁及び安全距離を確実にすること、
巻線を適切に含んで誘導して、ＰＣＢ又は回路へのその接続をより容易にすること、
巻き付けトポロジー（例えば、分布キャパシタンスを低減するための、又は、巻線の端の間で支えられる電圧を低減するためのマルチセクション）を構成すること、そして、
ヒューズ、センサ等のような付加的な要素の結合を可能にして、概して巻き付けプロセス自動化をより容易にすることについて、様々な文献に記述されてきた。
【００１１】
特許文献米国特許第６６９６６３８号は、セメントによるマトリックスで凝集された複数の電磁粒子から得られる磁気コアを記述している。
【００１２】
特許文献国際公開公報第２０１６／０３８４３４号は、特に、軟強磁性材料のマイクロファイバ、微粒子、又はナノ粒子を用いて、特にこれらを含むポリマーマトリックスに強磁性ナノ粒子を組み込むことによって得られるＰＢＳＭ（Polymer Bonded Soft Magnetic material）（ポリマー接着された軟質磁性材料）注入を使って得られるアンテナのための磁気コアを記述している。
【００１３】
上述の先行技術文献のいずれも、電気絶縁支持部の用途について、磁気コアの欠陥や歪みが、巻線のそれぞれによって生成される誘導ベクトルの等方性に影響を与えるであろう巻線位置のずれにつながるのを防ぐことを説明していない。
【００１４】
文献欧州特許第１６３４３０８号は、３本の直交する巻線によって取り囲まれた電気絶縁支持部に挿入された磁気コアを含むアンテナを記述している。電気絶縁支持部は、巻線支持部外側表面によって画定された巻きチャネルと、電気絶縁支持部の８つの角部突起で画定された巻線支持外面に対して垂直な巻線制限端とを含む。しかし、この文献中に記述された磁気コアは等方性ではなく、直交する３本の巻線は、ＲＦＩＤ適用を意図した３つの異なる磁場を生成する色々な長さと数の巻線を有しているので、この文献は、等方性インダクタ装置の獲得については言及していない。
【００１５】
さらに、この文献欧州第１６３４３０８号に記述された電気絶縁支持部は、磁気コアの８つの角部を取り囲む８つの角部突起を含み、この電気絶縁支持部は、二つ割りの型で製造するには実行困難である複雑な形状である。このような複雑な形状を製造するためには、少なくとも４つの異なる可動部分から型が作られることを必要とする。
【００１６】
発明の簡単な説明
第１の態様にしたがうと、本発明は、電磁システムと相互作用するために提供される送信又は受信アンテナを構築するのに適切なインダクタ装置に関する。
【００１７】
現在の技術水準から示される解決策とは異なり、本発明は、電気絶縁支持部を、概して立方体コアも全体に収容する立方体支持部を提供し、巻き付けは、（例えば、高精度の射出成形を用いて得られる）電気絶縁支持部上で直接実施される。これは物理的境界を画定して、均一で反復的な巻線対称性を確実にして、巻線（ＤＸ、ＤＹ、ＤＺ）間に最良の直交性を生成する構成を有する電気絶縁支持部上で自動高速巻き付けプロセスにおける巻線のスパイラルを固定するのを可能にする。
【００１８】
本発明の提案にしたがうと、上述のインダクタ装置は、
・６つの面と８つの頂点を有し、互いに直交する３つの軸Ｘ、Ｙ、Ｚを定義する矩形プリズム磁気コアと、
・磁気コアの周囲に配置された矩形プリズム空洞を有する単一部品から作られた電気絶縁支持部とを含み、空洞が、磁気コアを完全に収容し、対をなして互いに対向して配置された４つの側面を有する枠によって取り囲まれた開口を通してアクセス可能であり、枠が、磁気コアの高さと同一平面上又は上方に配置されており、電気絶縁支持部が、
・軸のうちの１つに対してそれぞれ垂直である巻線支持外面と、
・開口の４つの側面上で形成され、そこに関係付けられた巻線制限端を有する４つの付加的な巻線支持外面と、
・磁気コアの４つの頂点に配置された４つの下方角部突起とを備え、それぞれの巻線制限端の間で、軸Ｘ及びＹの周囲に巻き付けられて巻線支持面上で支持される導線の巻線を制限する、巻線支持外面に対して垂直な巻線制限端を含み、３本の導線の巻線は、互いに直交で配置され、磁気コアの周囲に巻き付けられ、巻線支持面上で支持され、巻線制限端の間で制限され、そして直交軸Ｘ、Ｙ、Ｚに関してセンタリングされるので、電流が上述の巻線を通って流れるとき、巻線のそれぞれの軸と同軸である電磁場ベクトルを有する電磁場が生成される。
【００１９】
磁気コアの６つの面は、対面して互いに平行である３対の対向する面であり、それらのうちのそれぞれが矩形又は正方形であり、３つの軸Ｘ、Ｙ、Ｚは、対の面のうちの１つに対してそれぞれ垂直であることが理解されるであろう。
【００２０】
巻線支持外面上で支持される巻線が磁気コアに対して平行になるように、巻線支持外面のうちのそれぞれは、磁気コアの６つの面のうちの１つに対して平行になることが理解されるであろう。
【００２１】
さらに、４つの下方角部突起によって提供される巻線制限端は、巻線支持外面を画定し、互いに直交する方向でそれぞれの巻線を制限する。好ましくは、各下方角部突起は６つの巻線制限端を有し、それらのうちの２つは、上述の３本の巻線のそれぞれを制限するためのものである。
【００２２】
上述の電気絶縁支持部は、コアを完全に収容するために、その面のうちの１つで開口した単一の中空部品であることが提案され、電気絶縁支持部は、磁気コアの６つの面のうちの１つを除いて全てを取り囲み、磁気コアの残り４つの頂点の上方角部突起を欠いているので、電気絶縁支持部は、二つ割りの型で製造され得る。
【００２３】
言い換えれば、磁気コアは、空洞へのアクセスを提供する支持部の単一の開口面を通して電気絶縁支持部の空洞中に完全に挿入されるので、上述の磁気コアは支持部から突出しない。そして電気絶縁材料は、型からはずれる方向と一致するＺ軸方向にかち合う突起を有しない、軸方向で容易に型からはずれる形状のおかげで、２つの可動部分のみで作られた型を使用する高精度の成形手順により製造され得る。
【００２４】
これは、支持部がその面のうちの１つを除いて磁気コアを完全に取り囲むのを可能にし、（例えば、高精度プラスチック材料成形動作を用いて）単一部品として得られる支持部であるので、磁気コアをセンタリングして磁気コア周囲の直交巻き付けを実施する課題をより容易にする。直交性は、製造されたインダクタ装置の精度にとって必須である。物理学のビオサバールの法則によって知られているように、誘導スパイラルにおいて電流によって生成される磁気誘導ベクトル方向は、スパイラルを形成する表面ベクトルに対して直交である。言い換えれば、生成されたフィールドは、産業上一般的に想定されるように、コアの断面に対してではなく、その各微小断面上の巻き付けに対して直交である。巻線断面は、リール内部のコアの対称性欠陥に関わらず、リールの構成によって確実にされるので、本発明は、コアの形態から巻線を独立させることによって、装置の挙動及び対称性を改善することを目的とする。
【００２５】
以下の特徴は、現在の技術水準から知られてない本発明の重要な特徴として考慮されるべきである。
・電気絶縁支持部は、磁気コアの６つの面のうちの１つを除いて全てを取り囲み、磁気コアの残り４つの頂点と対応する上方角部突起を欠いているので、電気絶縁支持部が二つ割りの型において製造可能であり、巻き付けチャネルは３つの直交軸Ｘ、Ｙ、Ｚに関してセンタリングされ、
・枠は、磁気コアの高さと同一平面上又は上方に配置され、そして、
・三次巻線が巻き付けられる巻線支持外面は、下方角部突起の制限端によって１つの側面上に範囲を定められた表面を提供し、三次巻線は、直交軸Ｘ及びＹに関してセンタリングされ、
２つの巻き付けチャネルと三次巻線は、磁気コアの寸法と組み合わされて、３つの等方性直交磁場を定義するように構成されている。
【００２６】
代替の実施態様にしたがうと、４つの下方角部突起が、軸Ｘ及びＹの周囲に巻き付けられた巻線を、それらの各巻線制限端の間に制限する場合、軸Ｚの周囲の巻線は、粘着性コーティングを備えた導電性線によって形成される。この場合、上述の４つの下方角部突起の巻線制限端は、インダクタ装置の下端に最も近い側面で軸Ｚの周囲に巻き付けられた巻線のみを制限し、最も遠い端ではしない。粘着性導線は、それを制限する４つの付加的な上方角部突起がたとえ存在しなくても導線を所定の位置に保持するが、この場合止め具又はカウンタポイントは、電気絶縁支持部の上述の開口面に対して配置され、上方巻線を画定するための高速巻き付け動作の後に取り外し可能である。
【００２７】
本明細書において特許請求の範囲に記載されていない代替実施態様であるが、本発明の実施可能な代替実施態様にしたがうと、電気絶縁支持部は、磁気コアの残り４つの頂点に配置された４つの上方角部突起をさらに含み、巻線支持面に対して垂直な巻線制限端を含む。
【００２８】
別の実施態様にしたがうと、磁気コアは、電気絶縁支持部を形成する中空部品中にしっかりと挿入されたブロックによって形成されることが提案される。
【００２９】
代替的に、磁気コアは、(前述の特許文献米国特許第６６９６６３８号の教示による)電気絶縁支持部の内側で硬化された磁性セメントによって、すなわち、電気絶縁支持部の空洞中に注がれてその中で固められた液体形態の磁性セメントによって形成されることが提案され、電気絶縁支持部の内部空洞は型として作用する。したがって、その後コアが形成されるとき、その形状は、その面及び外部構成によって対称性及び等方性を確実にするリールの形状と正確に一致することが保証される。
【００３０】
上述の磁気コアは、一般的に適用可能でないが、コアの外側の水分吸収を維持する必要があるとき、電気絶縁支持部の開口面をふさぐポリマー又はエポキシ樹脂層によってコーティングされることが提案される。言い換えれば、電気絶縁特性も有し、磁気コアの被覆も完了させるエポキシ樹脂層を用いて、電気絶縁支持部によって被覆されていない磁気コアの唯一の面を封止することが提案される。
【００３１】
好ましくは、磁気コアの高さは電気絶縁支持部の内部空洞の深さよりも低いので、差はエポキシ樹脂層で充填されるであろう。樹脂適用及び固化後の巻き付けは、エポキシ樹脂を覆うであろう。
【００３２】
好ましくは、磁気コア及びそれを収容する上述の電気絶縁支持部は立方体であり、コアの実際及び仮想の透磁率及び磁化率が３つの空間軸において同一であることを必要とする等方性の特性を有するインダクタを提供する。ＰＢＭ（Polymer Bonded Magnetics）（ポリマー接着された磁性体）又は磁性セメントの好ましい使用法は、異方性を生じさせる磁化の優先方向を定めるコア形成プロセスを回避することを可能にする(コア積層、押出、及びプレスは、本発明で防がれる関連する程度の異方性を含んでいる)。磁気コアは、同じ高さ、幅、及び深さ寸法を有するので、材料が電気抵抗率と同様に透磁率及び磁化率に対して等方性である場合、誘導磁場は３つの軸Ｘ、Ｙ、Ｚにおいて均一である。この目的のために、３本の巻線はまた、互いに完全に直交して、示される単一部品として作られた上述の電気絶縁支持部の巻線支持面と協働する導電性線の同数のターンを含むことが重要である。
【００３３】
インダクタ装置は等方性の装置であるので、電磁波放出源に関して３つの軸上でその相対位置を正確に検出するための精密検出器として、又は、全方向に均一な電磁波のエミッタとして使用され得る。
【００３４】
別の実施態様にしたがうと、導線の各巻線は、互いに異なる、下方角部突起のそれぞれで一体化された導電性素子の端に接続されている導線のための入口点及び導線のための出口点を有する。したがって、導電性素子は、インダクタ装置を電気又は電子システムに一体化して、導電性素子を介して巻線の導線のそれぞれに電気的に接触させることを可能にするコネクタとして作用する。
【００３５】
さらに、上述の電気絶縁支持部は、入口点と、その対応する導電性素子との間、及び、出口点と、その対応する導電性素子との間で、巻線のそれぞれの導線を導くための誘導構成を含むことが提案され、誘導構成は、張力をかけられた導線が入口点で巻線支持外面及び巻き付け方向に対して正確に位置付けられるように、ノッチ、段付き凹部、又は溝によって形成される。
【００３６】
最後に、巻線支持外面は、巻線支持外面Ｘ、巻線支持外面Ｙ、及び巻線支持外面Ｚを含むことが提案され、２つの異なる交差する巻線に対応する面は、巻線制限端を形成する段付き交差部において、異なる高さに配置されて連結されることが提案される。
【００３７】
電気絶縁支持部は、５つの主外面と第６の開口主外面とを有し、２つの巻線は、面のそれぞれで直交する方法で互いに交差するであろう。したがって、電気絶縁支持部の６つの主外面のそれぞれは、段によって接続された２つの異なる高さに配置された巻線支持面を有し、異なる高さに配置されて互いに交差する２つの巻き付けチャネルを画定し、より深い巻き付けチャネルは、対応する主外面の全長に沿った連続的な巻線支持面によって画定され、先行するチャネル上に重ねられる巻き付けチャネルは、前述の連続的な巻線支持面の両側に配置されてそこから突出する２つの巻線支持面によって画定される。
【００３８】
電気絶縁支持部の内部空洞へのアクセスを提供する開口は、対をなして互いに対向して配置された４つの側面を有する枠によって取り囲まれ、側面のうちの２つは他の２つの側面に関してより低い高さにあり、４つの側面は４つの巻線支持外面を形成する。２つの異なる高さでも実施されるように内部空洞の開口が配置された電気絶縁支持部のこの面を覆うことで、本実施態様は、２つの直交する方向における巻き付けを可能にする。
【００３９】
この場合において、空洞の深さは、空洞の底部に最も近い側面により定義されるであろう。
【００４０】
第２の態様にしたがうと、本発明は、インダクタ装置の製造方法に関する。上述の方法は、以下の工程、
・対をなして互いに対向して配置された４つの側面を有する枠によって取り囲まれた開口を通してアクセス可能である、磁気コアを完全に収容するために提供された、矩形のプリズム空洞を有する、その面のうちの１つで開口した単一の中空部品から作られた、高熱安定性及び機械的安定性の熱硬化性プラスチックベースのポリマー電気絶縁支持部を、高圧射出成形によって製造する工程と、支持部が、
・それぞれ２つの直交する巻線の範囲を定めるための寸法にされた２つの直交する巻き付けチャネルと、巻き付けチャネルが、１つの軸Ｘ、Ｙ、又はＺに対してそれぞれ垂直な巻線支持外面と、巻線支持外面(１２Ｘ、１２Ｙ)に対して垂直な巻線制限端(２２)と、枠(５０)の４つの側面(５１)上に形成された４つの付加的な巻線支持外面(１２Ｘ及び１２Ｙ)と、並びに、それに関係付けられた巻線制限端(２２)とによって画定され、
・軸Ｘ及びＹのうちの１つに対して垂直であり、他の２つの巻線(ＤＸ、ＤＹ)に直交する三次巻線(ＤＺ)を支持するように構成された巻線支持外面(１２Ｚ)と、
・巻線支持外面に対して垂直な巻線制限端を含む４つの下方角部突起とを備え、
・８つの頂点と、互いに対面し平行である３対の対向する面とを有する矩形プリズム磁気コアを、電気絶縁支持部の矩形プリズム空洞の内部に提供し、面の対のうちの１つに対してそれぞれ垂直に互いに直交して面の幾何学的中心を通過する３つの軸Ｘ、Ｙ、及びＺを定義する工程と、
・互いに直交して配置され、磁気コアの周囲に巻き付けられ、巻線支持面上で支持され、巻線制限端の間で制限される、３本の導線の巻線を提供する工程とを含む。
【００４１】
本方法はまた、以下の重要な工程を提案する。
・電気絶端支持部を、磁気コアの残り４つの頂点に対応する上方角部突起を欠いている二つ割りの型を介して製造する工程であって、枠が、磁気コアの高さと同一平面上又はその上方に配置され、２つの直交する巻き付けチャネルが、直交軸Ｘ、Ｙ、及びＺに関してセンタリングされ、
三次巻線は、下方角部突起の制限端によって一側面上で範囲を定められた巻線支持外面上で巻き付けられ、直交軸Ｘ及びＹに関してセンタリングされ、磁気コアの寸法と他の２つの直交する巻線と組み合わされて、３つの等方性直交磁場を定義するように構成されている。
【００４２】
製造された電気絶縁支持部は、磁気コアをその空洞内に完全に収容するように提供され、これは、空洞内部に収容された磁気コアが電気絶縁支持部から突出せず、その６つの面のうちの５つによって完全に取り囲まれることを意味する。
【００４３】
提案される実施態様にしたがうと、磁気コアは、電気絶縁支持部を形成する中空部品にしっかりと挿入されたブロックによって形成される。
【００４４】
代替的に、磁気コアは、電気絶縁支持部を形成する中空部品の内部空洞内に注がれ、その内部で硬化する磁性セメントによって形成されることが提案される。言い換えれば、電気絶縁支持部の内部空洞は、硬化及び固化の間、その中に注がれた液体又は粘性状態の磁性セメントを含むための容器として、そして、磁性セメントのキュアリング中、型として作用し、硬化が終了したときに、電気絶縁支持部の内部空洞の形状に相補的な形状を有する固体磁気コアを提供する。
【００４５】
別の実施態様にしたがうと、上述の磁気コアは、磁気コアが、挿入されたブロック及び固められた磁性セメントの両方であるとき、電気絶縁支持部の開口面をふさぐエポキシ樹脂層でコーティングされることが提案される。したがって、磁気コアの５つの面は電気絶縁支持部によって覆われ、第６の面はエポキシ樹脂層によってコーティングされて封止され、磁気コアを完全かつ均一に絶縁するであろう。
【００４６】
さらに、提供される磁気コアは、電気絶縁支持部の内部空洞の深さよりも低い高さを有することが提案され、エポキシ樹脂は、液体の形態で注がれて、そして磁気コアを提供した後、エポキシ樹脂は、磁気コアによってふさがれていない内部空洞空間中に入れられ、電気絶縁支持部の内部空洞の内側で固められることが提案される。したがって、磁気コアによってふさがれない内部空洞空間は、エポキシ樹脂のための型として作用する。
【００４７】
別の実施態様にしたがうと、磁気コアは、ポリマーマトリックス中に分散剤を含む強磁性ナノ粒子を組み込むことによって得られるＰＢＭ（Polymer Bonded Magnetics）（ポリマー接着された磁性体）の高精度射出成形によって製造されることが提案され、射出体は、国際公開公報第２０１６／０３８４３４号に記載されているように、軟強磁性材料のマイクロファイバ、微粒子、又はナノ粒子を含み得る。
【００４８】
本明細書において特許請求の範囲に記載されていないが、本発明の実現可能な代替実施態様である別の提案される実施態様にしたがうと、電気絶縁支持部は、巻線支持面に対して垂直な巻線制限端を含む磁気コアの残り４つの頂点に配置された４つの上方角部突起をさらに含んで提供される。上方角部突起は、下方角部突起と協働して、３本の巻線を完全に制限して導いて、その完全な直交位置付けを確実にするのを可能にする。
【００４９】
代替的に、軸Ｚに対応する巻線表面が、巻き付けの間、電気絶縁支持部と取り外し可能な上方角部突起との間で画定されるように、巻き付けの前に電気絶縁支持部に関して付加的な上方角部突起を提供すること、そして、最終的なインダクタ装置が上方角部突起を有しないように、巻き付けが終了したときにそれらを取り外すことが提案される。
【００５０】
提案される方法のさらなる実施態様にしたがうと、
・下方角部突起のそれぞれにおいて一体化された導電性素子(２０)を含む電気絶縁支持部が製造され、
・導線の各巻線は、互いに異なる、導電性素子(２０)の端に接続されている導線のための入口点及び導線のための出口点を有する。
【００５１】
導電性素子は、例えば、提案されるインダクタ装置を電気又は電子システムに接続するために部分的に露出された、下方角部突起に部分的に埋め込まれた金属ピンであり得る。代替的に、導電性素子は、同じ目的のために下方角部突起の表面上に堆積された導電性被覆であり得る。
【００５２】
さらに、
・対応する入口点とその導電性素子との間、及び、対応する出口点とその導電性素子との間に巻線のそれぞれの導線を導くための、ノッチ、段付き凹部、又は溝によって形成されている誘導構成を含む電気絶縁支持部が製造されることが提案され、３本の巻線を巻き取るための巻き付けプロセスは、３つの連続する工程で実施され、これらのうちのそれぞれは、
・張力をかけられた導線を、その対応する誘導構成で自動的に位置付け、導線の一部分は、入口点で、巻き付け方向に、巻線支持外面に対して正確に位置付けられる工程と、
・導線を、入口点から対応する出口点まで、巻線支持外面上で磁気コアの周囲に自動的に巻き付け、巻線が、対応する巻線制限端の間に画定される工程と、
・張力をかけられた導線の一部分を、対応する誘導構成における出口点から自動的に位置付け、これは出口点に対して正確に位置付けられる工程とを含む。
【００５３】
言い換えれば、自動巻き装置は、導電性支持部の誘導構成の内部で張力をかけられた導線を自動的に位置付け、誘導支持部は、そのノッチ、凹部、段、又は溝状の幾何学的配置の結果として、対応する巻線の入口点での導線の一部分の正確な位置付けを確実にし、張力をかけられた導線がその最も深い部分に正確に位置付けられ、それを入口点に誘導することを保証するものである。
【００５４】
入口点での正確な位置付けが確実にされると、巻き付け装置は、自動的に巻線を巻き付け、出口点に到達するまで巻線の各ターンの位置付けの精度を保証する。
【００５５】
その後、自動巻き付け装置は、張力をかけられた導線をその対応する誘導構成の内部で位置付け、これは入口点に対してするように、その幾何学的配置の結果として導線を正確に位置付けることを可能にし、出口点が正確であることを保証する。
【００５６】
さらに、自動巻き付けプロセスはまた、巻線を形成する導線の各端を下方角部突起の対応する導電性素子(２０)に自動的な方法で電気的に接続することを含むように提案され、張力をかけられた導線は、上述の電気接続と、誘導構成と、その対応する巻線入口又は出口点との間に配置される。
【００５７】
迅速で自動的な方法で得られる精密なインダクタ装置は、このプロセスを、３つの提供された巻線のそれぞれについて３回繰り返すことによって得られる。
【００５８】
本発明の第３の態様にしたがうと、アンテナ、特に、説明されたインダクタ装置に基づいて構築された低周波アンテナが提供される。
【００５９】
本発明の他の特徴は、以下の実施態様の詳細な説明において明らかになるであろう。
【図面の簡単な説明】
【００６０】
前述の他の利点及び特徴は、添付された図面を参照して、例示的かつ非限定的な方法で解釈されるべき実施態様の以下の詳細な説明に基づいて、より良く理解されるであろう。
【図１】導電性素子及び誘導構成を含む下方角部突起を備え、上方角部突起のない実施態様にしたがった、内部空洞及びその開口を示す、磁気コア及び巻線なしの電気絶縁支持部の上面斜視図を示す。
【図２】導電性素子及び誘導構成を含む下方角部突起を備えた別の実施態様にしたがった、また、本明細書において特許請求の範囲に記載されていない特徴であるが、本発明の実施可能な代替実施態様にしたがって、上方角部突起を備えた、内部空洞及びその開口を示す、磁気コア及び巻線なしの電気絶縁支持部の上面斜視図を示す。
【図３】図２に示されたのと同じ電気絶縁支持部を示すが、下方部分から見た図である。
【図４】磁気コアの斜視図を示す。
【図５ａ】図１に示されたのと同じ実施態様であるが、磁気コアが電気絶縁支持部の空洞中に挿入された図を示す。
【図５ｂ】図２に示されたのと同じ実施態様であるが、磁気コアが電気絶縁支持部の空洞中に挿入された図を示す。
【図６ａ】３本の直交巻線を巻き取った後の、図５ａに示されたのと同じ実施態様の図を示す。
【図６ｂ】３本の直交巻線を巻き取った後の、図５ｂに示されたのと同じ実施態様の図を示す。
【図７】図６ｂに示されたのと同じ巻き付け電気絶縁支持部を示すが、下方部分から見た図である。
【図８】巻線を覆うためのケーシングを完備したインダクタ装置を示す。
【図９】軸Ｘに対して垂直な平面を通して得られた、エポキシ樹脂層によって封止された立方体磁気コアを含む電気絶縁支持部の断面を示す。
【図１０】上方角部突起のない電気絶縁支持部を使用する方法を実施する例を示す。
【発明を実施するための形態】
【００６１】
実施態様の詳細な説明
添付された図面は、本発明の例示的かつ非限定的な実施態様を示す。
【００６２】
本発明の第１の実施態様にしたがうと、インダクタ装置は、軸Ｘ、軸Ｙ、及び軸Ｚを定義する６つの正方形面を有する立方体磁気コア１からなり、コアは、電気絶縁支持部１０の同様に立方体の内部空洞１１中にしっかりと挿入され、磁気コア１の６つの面のうちの５つを完全に覆って、磁気コアの第６の面を、上述の内部空洞１１にアクセスするための開口を通して露出させたままにする。
【００６３】
電気絶端支持部１０は、磁気コアの面に平行な巻線支持外面１２Ｘ、１２Ｙ、１２Ｚと、磁気コア１の４つの頂点に配置された４つの下方角部突起２０とを有し、これらの突起は、巻線支持外面１２Ｘ、１２Ｙ、１２Ｚに対して垂直な巻線制限端２２を含む。
【００６４】
さらに(図３、図９、及び図１０を参照)、巻線支持外面１２Ｘ、１２Ｙ、及び１２Ｚは、１２Ｘとして既知の巻線ＤＸ(軸Ｘと同軸)を支持するための支持外面と、１２Ｙとして既知の巻線ＤＹ(軸Ｙと同軸)を支持するための支持外面と、１２Ｚとして既知の巻線ＤＺ(軸Ｚと同軸)を支持するための支持外面とを備え、２つの異なる交差する巻線に対応する面は、段が巻線制限端２２を画定している段付き交差部で、異なる高さに配置されて連結されている。
【００６５】
巻線支持外面１２Ｘ、１２Ｙ、及び１２Ｚは、段付き交差部及び巻線制限端２２といっしょに、３本の巻線ＤＸ、ＤＹ  ＤＺのそれぞれに対して異なる高さで独立した巻き付けチャネルを形成する。
【００６６】
電気絶端支持部１０の内部空洞１１へのアクセスを提供する開口は、対をなして互いに対向して配置された４つの側面５１を有する枠５０によって取り囲まれ、枠５０は、磁気コア１の高さと同一平面又はその上方に配置され、４つの追加の巻線支持外面１２Ｘ及び１２Ｙを形成し、それに関係付けられた巻線制限端２２を有し、３本の巻線ＤＸ、ＤＹ、及びＤＺは、巻線支持面１２Ｘ、１２Ｙ、及び１２Ｚ上に支持され、巻線制限端２２の間で制限され、３つの直交軸Ｘ、Ｙ、Ｚに関してセンタリングされるので、電気絶端支持部１０は、上述のインダクタ装置によって生成される電磁場ベクトルの対称性及び直交性を保証する。
【００６７】
電気絶縁支持部１０は高精度射出成形方法によって製造されるので、製造される全てのインダクタの規則性が保証される。電気絶縁支持部１０の幾何学的形状は、自動巻き付けプロセスにおいて、互いに直交して配置された３本の巻線ＤＸ、ＤＹ、及びＤＺの正確な位置付けを保証する。この特性は、製造された個々のインダクタを較正するプロセスにおける顕著な節約を可能にする。
【００６８】
本実施態様において、軸Ｘの周囲の巻線ＤＸは、最初に作られるものであり、電気絶縁支持部１０の３つの面と内部空洞１１の開口も取り囲む連続的な巻き付けチャネル上に作られ、巻き付けチャネルは、下方角部突起２０の２つの対向する巻き付け制限端２２の間に存在する幅と等しい幅を有する電気絶縁支持部１０の外面の全長にわたって延びる連続巻き付け支持外面１２Ｘによって画定され、巻線支持面１２Ｘは、空洞の開口の枠５０のより低い高さの２つの巻線支持外面１２Ｘによって、それらの端で接続されている。
【００６９】
軸Ｙの周囲の巻き付けは、本実施例において２番目になされるものであり、これは電気絶縁支持部１０の３つの面と内部空洞の開口も取り囲み、電気絶縁支持部１０の両側で、支持部の基部上と、また内部空洞１１の開口上で、軸Ｘの周囲の巻き付けと交差する連続的な巻き付けチャネルからなる。
【００７０】
巻き付けチャネルは、下方角部突起２０の２つの対向する巻線制限端２２の間に存在する幅と等しい幅を有する、電気絶端支持部１０の２つの対向する外面の全長に延びる２つの連続的な巻線支持外面１２Ｙによって画定される。さらに、軸Ｘの周囲に巻き取るための巻き付けチャネルの両側で、電気絶縁支持部の基部の同一外面上に配置されて、より高い高さの段によってそこから分離された２つの対称的な巻線支持外面によって、そして、空洞１１の開口の枠５０のより高い高さの２つの巻線支持外面によって、この巻き付けチャネルは画定され、これにより両方の巻線Ｘ及びＹが、基部及び内部空洞１１の開口の両方において、異なる高さで互いに交差することを決定している。
【００７１】
最後に、軸Ｚの周囲の巻き付けは、本実施例において３番目になされるものであり、これは、電気絶縁支持部１０の４つの外面を取り囲み、４つの外面のそれぞれで軸Ｘ及びＹの周囲の巻線ＤＸ及びＤＹと交差する連続的な巻き付けチャネルからなる。
【００７２】
軸Ｚの巻き付けチャネルは、電気絶縁支持部１０の４つの外面のそれぞれに配置され、軸Ｘ又はＹの周囲に巻き取るための巻き付けチャネルの両側に配置され、より高い高さに配置された段によってそこから分離された２つの対称的な巻線支持外面１２Ｚにより画定され、これにより、両方の巻線ＤＸ及びＤＹが異なる高さで互いに交差することを決定している。電気絶縁支持部１０において、構成は、電気絶縁支持部の４つの垂直角部から突出するピラスタの形態で、巻線支持外面１２Ｚを決定する。
【００７３】
１つの実施態様にしたがうと、４つのピラスタは、内部空洞の開口を画定する枠から突出し、枠５０を画定する４つの巻線支持外面１２Ｘ及び１２Ｙそれぞれに関して段を形成し、内部空洞１１の開口で互いに交差する軸Ｘ及びＹの周囲に巻き付けられた巻線ＤＸ及びＤＹの巻線制限端２２を決定する。
【００７４】
本明細書中の特許請求の範囲に記載されていないが、本発明の実現可能な代替実施態様である別の代替的な実施態様にしたがうと、電気絶端支持部１０はさらに、磁気コア１の４つの頂点に配置され、巻線支持外面１２Ｘ、１２Ｙ、及び１２Ｚに対して垂直な巻線制限端２２を同様に含む４つの上方角部突起２１からなり、実施態様において上述された突出するピラスタは、上部角部突起２１及び下方角部突起２０の対向する巻線制限端２２の間に制限される。
【００７５】
磁気コア１は、空洞１１に挿入されたブロックであり得るが、好ましい実施態様において、磁気コア１は、電気絶縁支持部の内部空洞中に液体又は粘性状態で注がれた磁性セメントであり得、これは、磁性セメントの硬化の間、固まるまで、容器及び型として作用するであろう。代替的な実施態様で、上述のコアは、上述の空洞（１１）中への注入によって提供されるＰＢＭ又はＰＢＳＭ材料から形成され得る。
【００７６】
好ましくは、固められた磁性セメント又はブロックは、内部空洞全体をふさがず、開口に近接する空洞の上方部分はふさがっていない。ポリマー又はエポキシ樹脂は、ふさがっていない空洞の上方部分の中に注がれて、そこを充填し、これが固まるところにおいて制限され、開口を封止し、磁気コアを保持して絶縁する。
【００７７】
下方角部突起２０の一部又は全部はまた、それぞれ３本の巻線ＤＸ、ＤＹ、及びＤＺを形成する導線４０の端が接続される導電性素子２３を含むことが提案される。導電性素子２３は、下方角部突起２０の内部に部分的に埋め込まれた金属片であり、インダクタ装置をプリント回路（ＳＭＤ実装）に直接結合することを可能にする電気接点として提供される。本実施例において、３つの下方角部突起２０は、それぞれ２つの導電性素子２３を含み、それぞれ巻線ＤＸ、ＤＹ、及びＤＺのうちの１つの導線の端に接続される。
【００７８】
さらに、各導線４０は、導電性素子２３から、その対応する巻線の入口点４１又は出口点４２（図３）に導かれる。
【００７９】
このような目的のために、上述の電気絶縁支持部１０は、巻線ＤＸ、ＤＹ、ＤＺのそれぞれの導線４０を、入口点４１とその対応する導電性素子２３との間、及び出口点４２とその対応する導電性素子２３との間に導くための誘導構成１５(図１〜図３)を含み、張力をかけられた導線４０が、巻線支持外面１２Ｘ、１２Ｙ及び１２Ｚ、並びに入口点における巻き付け方向に対して正確に位置付けられるように、誘導構成１５は、ノッチ、段付き凹部、又は溝によって形成されている。
【００８０】
本実施例において、第１の下方角部突起２０は、軸Ｘ周囲の巻線ＤＸの導線４０を、導電性素子２３から、支持部の下方外面に対応する巻線支持外面１２Ｘ上に位置付けられたその入口点４１まで、巻線制限端２２に隣接する位置において誘導する誘導構成１５を含む。誘導構成１５は、湾曲した段からなる。
【００８１】
残りの誘導構成１５は同様であるが、それらそれぞれの位置と、それらそれぞれの入口点４１及び出口点４２とに適合されるであろう。
【００８２】
図８は、３本の巻線ＤＸ、ＤＹ、及びＤＺの全てを覆って、それらを良好に保護するためのケーシング６０を示しており、それらの導電性素子を有する下方角部突起２０のみが、そこから突出している。
【００８３】
１つの実施態様において記述された本発明を形成する異なる部品は、たとえ組み合わせが明示的に説明されていなくても、そのような組み合わせが有害でない限り、他の異なる実施態様で記述された部品と自由に組み合わされ得ることが理解される。
【図１】
0006843257.tif 000002
【図２】
0006843257.tif 000003
【図３】
0006843257.tif 000004
【図４】
0006843257.tif 000005
【図５ａ】
0006843257.tif 000006
【図５ｂ】
0006843257.tif 000007
【図６ａ】
0006843257.tif 000008
【図６ｂ】
0006843257.tif 000009
【図７】
0006843257.tif 000010
【図８】
0006843257.tif 000011
【図９】
0006843257.tif 000012
【図１０】
0006843257.tif 000013